(57)【要約】【課題】吹出空気が衝突して発生する気流の方向を調節する。【解決手段】パネル（3）と、パネル（3）を囲うように配置され且つ空気の吹出口（13a,13b,13c,13d）が形成された枠部材（5）と、吹出口（13a,13b,13c,13d）へ空気を送るファン（11a,11b,11c,11d）とを設ける。枠部材（5）は、複数の方向から互いに衝突するように空気を吹き出すことによって、パネル（3）の前方へ向かう気流を生じさせ、気流の方向が変わるように、吹出口（13a,13b,13c,13d）から吹き出される空気の流量を調節する制御器（7）を設ける。【選択図】図１
2019210660.tif 000002
【特許請求の範囲】
【請求項１】
パネル（3）と、上記パネル（3）を囲うように配置され且つ空気の吹出口（13a,13b,13c,13d,13e,13f,13g）が形成された枠部材（5）と、上記吹出口（13a,13b,13c,13d,13e,13f,13g）へ空気を送るファン（11a,11b,11c,11d,11e,11f,30）とを備える送風装置であって、
上記枠部材（5）は、複数の方向から互いに衝突するように空気を吹き出すことによって、上記パネル（3）の前方へ向かう気流を生じさせ、
上記気流の方向が変わるように、上記吹出口（13a,13b,13c,13d,13e,13f,13g）から吹き出される空気の流速、流量、向きのうち少なくとも１つを調節する制御器（7）を備えることを特徴とする送風装置。
【請求項２】
請求項１において、
上記制御器（7）は、上記吹出口（13a,13b,13c,13d,13e,13f,13g）から吹き出される空気の流量の合計が一定に保たれるように、それぞれの方向から吹き出される空気の流量を調節可能であることを特徴とする送風装置。
【請求項３】
請求項１又は２において、
上記吹出口（13a,13b,13c,13d,13e,13f）は、上記複数の方向にそれぞれ配置され、
上記ファン（11a,11b,11c,11d,11e,11f）は、上記各吹出口（13a,13b,13c,13d,13e,13f）に対応するように１つずつ配置され、
上記制御器（7）は、上記各ファン（11a,11b,11c,11d,11e,11f）の回転速度を調節することを特徴とする送風装置。
【請求項４】
請求項１又は２において、
上記吹出口（13a,13b,13c,13d）は、上記複数の方向にそれぞれ配置され、
上記枠部材（5）は、上記各吹出口（13a,13b,13c,13d）に対応するように複数配置され且つ上記ファン（30）から上記各吹出口（13a,13b,13c,13d）に送られる空気が通る通風路（35a,35b）を備え、
上記通風路（35a,35b）には、開度可変の流量調節用のダンパ（32a,32b）が配置され、
上記制御器（7）は、上記ダンパ（32a,32b）の開度を調節して上記吹出口（13a,13b,13c,13d）から吹き出される空気の流量を調節することを特徴とする送風装置。
【発明の詳細な説明】
【技術分野】
【０００１】
本開示は、送風装置に関するものである。
【背景技術】
【０００２】
従来より、特許文献１には、絵画や写真が添付された矩形のパネルと、パネルを囲むように配置され、対向する２つの縁から空気を吹き出してそれぞれの空気を衝突させて前方へ向かう気流を発生させる枠部材とを備える疑似窓が開示されている。
【先行技術文献】
【特許文献】
【０００３】
【特許文献１】特開平０６−１９３２４５号公報
【発明の概要】
【発明が解決しようとする課題】
【０００４】
特許文献１には、パネル前方へ向かう気流を生じさせることしか開示されていない。したがって、これまでは、吹出空気が衝突して生じた気流の向きをどのように制御するのか、検討されていなかった。
【０００５】
本開示の目的は、吹出空気が衝突して発生する気流の方向を調節することにある。
【課題を解決するための手段】
【０００６】
本開示の第１の態様は、パネル（3）と、上記パネル（3）を囲うように配置され且つ空気の吹出口（13a,13b,13c,13d,13e,13f,13g）が形成された枠部材（5）と、上記吹出口（13a,13b,13c,13d,13e,13f,13g）へ空気を送るファン（11a,11b,11c,11d,11e,11f,30）とを備える送風装置（1）であって、上記枠部材（5）は、複数の方向から互いに衝突するように空気を吹き出すことによって、上記パネル（3）の前方へ向かう気流を生じさせ、上記気流の方向が変わるように、上記吹出口（13a,13b,13c,13d,13e,13f,13g）から吹き出される空気の流速、流量、向きのうち少なくとも１つを調節する制御器（7）を備えることを特徴とする。
【０００７】
第１の態様では、例えば、１つの吹出口（13a,13b,13c,13d,13e,13f,13g）から吹き出る空気の流速又は流量を増やすと、衝突した気流の向きは、流速又は流量を増やした吹出口とは逆側に向く。また、例えば、１つの吹出口（13a,13b,13c,13d,13e,13f,13g）の吹き出し方向を変えると、空気が衝突して生じた気流の向きも変化する。したがって、吹出空気が衝突して発生する気流の方向を調節することができる。
【０００８】
本開示の第２の態様は、上記第１の態様において、上記制御器（7）は、上記吹出口（13a,13b,13c,13d,13e,13f,13g）から吹き出される空気の流量の合計が一定に保たれるように、それぞれの方向から吹き出される空気の流量を調節可能であることを特徴とする。
【０００９】
第２の態様では、前方に向かう空気の流量を変化させずに、気流の方向を調節することができる。
【００１０】
本開示の第３の態様は、上記第１又は２の態様において、上記吹出口（13a,13b,13c,13d,13e,13f）は、上記複数の方向にそれぞれ配置され、上記ファン（11a,11b,11c,11d,11e,11f）は、上記各吹出口（13a,13b,13c,13d,13e,13f）に対応するように１つずつ配置され、上記制御器（7）は、上記各ファン（11a,11b,11c,11d,11e,11f）の回転速度を調節することを特徴とする。
【００１１】
第３の態様では、ファン（11a,11b,11c,11d,11e,11f）の回転数を調節することで、気流の方向を調節することができる。このため、気流の方向を調節するための部品の点数を抑えることができる。
【００１２】
本開示の第４の態様は、上記第１又は２の態様において、上記吹出口（13a,13b,13c,13d）は、上記複数の方向にそれぞれ配置され、上記枠部材（5）は、上記各吹出口（13a,13b,13c,13d）に対応するように複数配置され且つ上記ファン（30）から上記各吹出口（13a,13b,13c,13d）に送られる空気が通る通風路（35a,35b）を備え、上記通風路（35a,35b）には、開度可変の流量調節用のダンパ（32a,32b）が配置され、上記制御器（7）は、上記ダンパ（32a,32b）の開度を調節して上記吹出口（13a,13b,13c,13d）から吹き出される空気の流量を調節することを特徴とする。
【００１３】
第４の態様では、ファン（30）を吹出口（13a,13b,13c,13d）から離れた位置に配置する場合でも、各吹出口（13a,13b,13c,13d）から吹き出される空気の流量を調節することができる。
【図面の簡単な説明】
【００１４】
【図１】図１は、実施形態１の送風装置の正面図である。
【図２】図２は、図１のII-II線断面図である。
【図３】図３は、各吹出空気の流量を均一にしたときの送風装置から流れる気流のシミュレーション結果を示す図である。
【図４】図４は、左右の吹出口からの吹出空気の流量を異ならせたときの図３相当図である。
【図５】図５は、実施形態１の変形例１の図１相当図である。
【図６】図６は、実施形態１の変形例２の図１相当図である。
【図７】図７は、実施形態１の変形例３の図１相当図である。
【図８】図８は、実施形態２の送風装置の図１相当図である。
【図９】図９は、図８のIX-IX線断面図である。
【図１０】図１０は、実施形態２の変形例１の図１相当図である。
【図１１】図１１は、実施形態２の変形例２の図９相当図である。
【発明を実施するための形態】
【００１５】
《実施形態１》
実施形態１について説明する。本実施形態の送風装置（1）は、例えば、室内の壁面に設けられ、室内に送風するために用いられる。
【００１６】
−送風装置の全体構成−
図１に示すように、送風装置（1）は、パネル（3）、枠部材（5）、複数のファン（11a,11b,11c,11d）、及び制御器（7）を備える。
【００１７】
パネル（3）は、例えば、映像を表示するディスプレイ、絵画、写真等により構成される。パネル（3）は、静止画を表示してもよく、動画を表示してもよい。パネル（3）は、例えば横長の矩形状に形成される。
【００１８】
枠部材（5）は、パネル（3）を囲うように配置される。すなわち、枠部材（5）は、パネル（3）に対応した矩形状に構成される。具体的に、枠部材（5）は、第１縁部（5a）、第２縁部（5b）、第３縁部（5c）、及び第４縁部（5d）を備える。第１縁部（5a）は、枠部材（5）の長辺のうち下側の辺を構成する。第２縁部（5b）は、枠部材（5）の長辺のうち上側の辺を構成する。第３縁部（5c）は、枠部材（5）の短辺のうち図１に向かって左側の辺を構成する。第４縁部（5d）は、枠部材（5）の短辺のうち図１に向かって右側の辺を構成する。第１縁部（5a）と第２縁部（5b）とは、パネル（3）を挟んで互いに対向する。第３縁部（5c）と第４縁部（5d）とは、パネル（3）を挟んで互いに対向する。枠部材（5）は、中空に形成される。枠部材（5）の詳細については後述する。
【００１９】
ファン（11a,11b,11c,11d）は、第１縁部（5a）、第２縁部（5b）、第３縁部（5c）、及び第４縁部（5d）にそれぞれ１つずつ配置される。ファン（11a,11b,11c,11d）は、例えばクロスフローファンで構成される。ファン（11a,11b,11c,11d）は、配置される各縁部（5a,5b,5c,5d）に沿うように配置される。ファン（11a,11b,11c,11d）は、対応する縁部（5a,5b,5c,5d）の後述する吹出口（13a,13b,13c,13d）へ空気を送る。
【００２０】
制御器（7）は、枠部材（5）内に配置される。制御器（7）は、例えば、ファン（11a,11b,11c,11d）の回転速度を調節する。
【００２１】
−枠部材−
図１及び図２に沿って、枠部材（5）の構成について説明する。枠部材（5）は、内周面に、４つの空気の吹出口（13a,13b,13c,13d）を備える。各吹出口（13a,13b,13c,13d）は、パネル（3）の各辺に対応する位置に形成される。各吹出口（13a,13b,13c,13d）にはファン（11a,11b,11c,11d）が１つずつ配置される。ファン（11a,11b,11c,11d）から送られた空気は、吹出口（13a,13b,13c,13d）を通過して枠部材（5）から吹き出される。各吹出口（13a,13b,13c,13d）は、一方向に空気を吹き出す。
【００２２】
第１縁部（5a）は、第１吹出口（13a）、第１吸込口（15a）、第１ファン（11a）、温度調節器（17）、及び通風路（14）を備える。第１縁部（5a）は、断面略四角形に形成される。
【００２３】
第１吹出口（13a）は、第１縁部（5a）の上面に形成される。第１吹出口（13a）は、第１縁部（5a）の長手方向（左右方向）に延びる細長い開口である。第１縁部（5a）の上面には、第１吹出口（13a）に沿うようにフラップ（16）が設けられる。フラップ（16）の傾斜角度に応じて、第１吹出口（13a）からの吹出空気の向きが変わる。
【００２４】
第１吸込口（15a）は、第１縁部（5a）の下面に形成される。第１吸込口（15a）は、第１縁部（5a）の長手方向（左右方向）に延びる細長い開口である。
【００２５】
第１ファン（11a）は、第１吹出口（13a）と第１吸込口（15a）との間に位置する。第１ファン（11a）は、枠部材（5）の外側の空気を第１吸込口（15a）から取り入れて、第１吹出口（13a）に送る。第１ファン（11a）から送られた空気は、第１吹出口（13a）を通過して上方に吹き出される。
【００２６】
温度調節器（17）は、第１ファン（11a）と第１吸込口（15a）との間に配置される。温度調節器（17）は、例えば、室外ユニット（図示省略）に接続される熱交換器により構成される。温度調節器（17）の温度を変化させることで、第１吹出口（13a）から吹き出す空気の温度を調節する。
【００２７】
第１縁部（5a）は、前側部材（19）及び後側部材（18）を備える。前側部材（19）は、第１縁部（5a）の上面における前方（図２中左側）寄りの位置から第１ファン（11a）の上面に向かって延びる。後側部材（18）は、第１縁部（5a）の上面における後方（図２中右側）寄りの位置から第１ファン（11a）の下面に向かって延びる。前側部材（19）と後側部材（18）との間には通風路（14）が構成される。通風路（14）は、第１ファン（11a）と第１吹出口（13a）との間に形成される。通風路（14）は、第１ファン（11a）から吹き出された空気を第１吹出口（13a）へ導く。
【００２８】
第２縁部（5b）、第３縁部（5c）及び第４縁部（5d）の内部構造については、図示は省略するが、第１縁部（5a）の内部構造と同様である。
【００２９】
第２縁部（5b）は、第２吹出口（13b）、第２吸込口（15b）、第２ファン（11b）、温度調節器、及び通風路を備える。第２縁部（5b）は、断面略四角形に形成される。
【００３０】
第２吹出口（13b）は、第２縁部（5b）の下面に形成される。第２吹出口（13b）は、第２縁部（5b）の長手方向（左右方向）に延びる細長い開口である。第２縁部（5b）の下面には、第２吹出口（13b）に沿うようにフラップが設けられる。フラップの傾斜角度に応じて、第２吹出口（13b）からの吹出空気の向きが変わる。
【００３１】
第２吸込口（15b）は、第２縁部（5b）の上面に形成される。第２吸込口（15b）は、第２縁部（5b）の長手方向（左右方向）に延びる細長い開口である。
【００３２】
第２ファン（11b）は、第２吹出口（13b）と第２吸込口（15b）との間に位置する。第２ファン（11b）は、枠部材（5）の外側の空気を第２吸込口（15b）から取り入れて、第２吹出口（13b）に送る。第２ファン（11b）から送られた空気は、第２吹出口（13b）を通過して下方に吹き出される。
【００３３】
温度調節器は、第２ファン（11b）と第２吸込口（15b）との間に配置される。温度調節器は、例えば、室外ユニット（図示省略）に接続される熱交換器により構成される。温度調節器の温度を変化させることで、第２吹出口（13b）から吹き出す空気の温度を調節する。
【００３４】
第２縁部（5b）は、前側部材及び後側部材を備える。前側部材は、第２縁部（5b）の下面における前方寄りの位置から第２ファン（11b）の下面に向かって延びる。後側部材は、第２縁部（5b）の下面における後方寄りの位置から第２ファン（11b）の上面に向かって延びる。前側部材と後側部材との間には通風路が構成される。通風路は、第２ファン（11b）と第２吹出口（13b）との間に形成される。通風路は、第２ファン（11b）から吹き出された空気を第２吹出口（13b）へ導く。
【００３５】
第３縁部（5c）は、第３吹出口（13c）、第３吸込口（15c）、第３ファン（11c）、温度調節器、及び通風路を備える。第３縁部（5c）は、断面略四角形に形成される。
【００３６】
第３吹出口（13c）は、第３縁部（5c）の右面に形成される。第３吹出口（13c）は、第３縁部（5c）の長手方向（上下方向）に延びる細長い開口である。第３縁部（5c）の右面には、第３吹出口（13c）に沿うようにフラップが設けられる。フラップの傾斜角度に応じて、第３吹出口（13c）からの吹出空気の向きが変わる。
【００３７】
第３吸込口（15c）は、第３縁部（5c）の左面に形成される。第３吸込口（15c）は、第３縁部（5c）の長手方向（上下方向）に延びる細長い開口である。
【００３８】
第３ファン（11c）は、第３吹出口（13c）と第３吸込口（15c）との間に位置する。第３ファン（11c）は、枠部材（5）の外側の空気を第３吸込口（15c）から取り入れて、第３吹出口（13c）に送る。第３ファン（11c）から送られた空気は、第３吹出口（13c）を通過して右方に吹き出される。
【００３９】
温度調節器は、第３ファン（11c）と第３吸込口（15c）との間に配置される。温度調節器は、例えば、室外ユニット（図示省略）に接続される熱交換器により構成される。温度調節器の温度を変化させることで、第３吹出口（13c）から吹き出す空気の温度を調節する。
【００４０】
第３縁部（5c）は、前側部材及び後側部材を備える。前側部材は、第３縁部（5c）の右面における前方寄りの位置から第３ファン（11c）の前面に向かって延びる。後側部材は、第３縁部（5c）の右面における後方寄りの位置から第３ファン（11c）の後面に向かって延びる。前側部材と後側部材との間には通風路が構成される。通風路は、第３ファン（11c）と第３吹出口（13c）との間に形成される。通風路は、第３ファン（11c）から吹き出された空気を第３吹出口（13c）へ導く。
【００４１】
第４縁部（5d）は、第４吹出口（13d）、第４吸込口（15d）、第４ファン（11d）、温度調節器、及び通風路を備える。第４縁部（5d）は、断面略四角形に形成される。
【００４２】
第４吹出口（13d）は、第４縁部（5d）の左面に形成される。第４吹出口（13d）は、第４縁部（5d）の長手方向（上下方向）に延びる細長い開口である。第４縁部（5d）の左面には、第４吹出口（13d）に沿うようにフラップが設けられる。フラップの傾斜角度に応じて、第４吹出口（13d）からの吹出空気の向きが変わる。
【００４３】
第４吸込口（15d）は、第４縁部（5d）の右面に形成される。第４吸込口（15d）は、４縁部（5d）の長手方向（上下方向）に延びる細長い開口である。
【００４４】
第４ファン（11d）は、第４吹出口（13d）と第４吸込口（15d）との間に位置する。第４ファン（11d）は、枠部材（5）の外側の空気を第４吸込口（15d）から取り入れて、第４吹出口（13d）に送る。第４ファン（11d）から送られた空気は、第４吹出口（13d）を通過して左方に吹き出される。
【００４５】
温度調節器は、第４ファン（11d）と第４吸込口（15d）との間に配置される。温度調節器は、例えば、室外ユニット（図示省略）に接続される熱交換器により構成される。温度調節器の温度を変化させることで、第４吹出口（13d）から吹き出す空気の温度を調節する。
【００４６】
第４縁部（5d）は、前側部材及び後側部材を備える。前側部材は、第４縁部（5d）の左面における前方寄りの位置から第４ファン（11d）の前面に向かって延びる。後側部材は、第３縁部（5c）の左面における後方寄りの位置から第４ファン（11d）の後面に向かって延びる。前側部材と後側部材との間には通風路が構成される。通風路は、第４ファン（11d）と第４吹出口（13d）との間に形成される。通風路は、第４ファン（11d）から吹き出された空気を第４吹出口（13d）へ導く。
【００４７】
このように、各吹出口（13a,13b,13c,13d）は、それぞれの吹出方向が異なる。また、第１吹出口（13a）と第２吹出口（13b）とが向かい合い、第３吹出口（13c）と第４吹出口（13d）とが向かい合う。枠部材（5）は、各吹出口（13a,13b,13c,13d）が形成された４つの方向から互いに衝突するように空気を吹き出すことによって、パネル（3）の前方へ向かう気流を生じさせる。具体的に、枠部材（5）は、パネル（3）の中央側に向かってパネル（3）表面に沿うように空気を吹き出して、パネル（3）の中央部の前方で空気を衝突させる。
【００４８】
−制御器−
制御器（7）は、プロセッサ（例えばマイクロコントローラ）と、プロセッサを動作させるためのソフトウェアを格納するメモリディバイス（例えば半導体メモリ）とを備える。また、メモリディバイスには、制御器（7）の制御動作に必要なデータなども格納される。
【００４９】
制御器（7）は、各ファン（11a,11b,11c,11d）の回転速度を調節することで、各吹出口（13a,13b,13c,13d）から吹き出される空気の流量及び流速を調節する。具体的に、制御器（7）は、それぞれの吹出口（13a,13b,13c,13d）から吹き出される空気の流量の合計が一定に保たれるように、それぞれの方向から吹き出される空気の流量を調節可能である。制御器（7）は、各吹出口（13a,13b,13c,13d）から吹き出される空気の流量及び流速を調節することによって、それぞれの吹出空気が衝突することによって生じる気流の方向を変えることができる。また、制御器（7）は、１つ又は複数の吹出口（13a,13b,13c,13d）から吹き出される空気の流量がゼロになるようにファン（11a,11b,11c,11d）の回転速度を調節してもよい。
【００５０】
図３及び図４は、本実施形態の送風装置（1）から流れる気流（F）のシミュレーション結果を示す。
【００５１】
図３では、制御器（7）は、各吹出口（13a,13b,13c,13d）から吹き出される空気の流量及び流速が等しくなるように調節している。この場合、気流（F）は、パネル（3）の中央部の前方からさらに前方に向かってほぼ真っ直ぐ流れる。
【００５２】
一方、制御器（7）は、気流を向けたい方向とは逆側に位置する吹出口からの吹出空気の流量が残りの吹出口から吹出空気の流量よりも相対的に多くなり、且つ流速が残りの吹出口の流速よりも相対的に速くなるように各ファン（11a,11b,11c,11d）の回転速度を個別に調節する。また、制御器（7）は、各吹出口（13a,13b,13c,13d）から吹き出される空気の流量の合計が一定に保たれるように、各ファン（11a,11b,11c,11d）の回転速度を調節する。
【００５３】
例えば、気流を下向きにしたいとき、制御器（7）は、第２ファン（11b）の回転速度を上げ、第１ファン（11a）、第３ファン（11c）及び第４ファン（11d）の回転速度を下げる。そうすることで、第２吹出口（13b）からの吹出空気の流量が、第１吹出口（13a）、第３吹出口（13c）及び第４吹出口（13d）からの吹出空気の流量よりも相対的に多くなり、流速が、第１吹出口（13a）、第３吹出口（13c）及び第４吹出口（13d）からの吹出空気の流速よりも相対的に速くなる。
【００５４】
また、例えば、気流を右向きにしたいとき、制御器（7）は、第３ファン（11c）の回転速度を上げ、第１ファン（11a）、第２ファン（11b）及び第４ファン（11d）の回転速度を下げる。そうすることで、第３吹出口（13c）からの吹出空気の流量が、第１吹出口（13a）、第２吹出口（13b）及び第４吹出口（13d）からの吹出空気の流量よりも相対的に多くなり、流速が、第１吹出口（13a）、第２吹出口（13b）及び第４吹出口（13d）からの吹出空気の流速よりも相対的に速くなる。
【００５５】
また、例えば、気流を左斜め上向きにしたいとき、制御器（7）は、第１ファン（11a）及び第４ファン（11d）の回転速度を上げ、第２ファン（11b）及び第３ファン（11c）の回転速度を下げる。そうすることで、第１吹出口（13a）及び第４吹出口（13d）からの吹出空気の流量が、第２吹出口（13b）及び第３吹出口（13c）からの吹出空気の流量よりも相対的に多くなり、流速が、第２吹出口（13b）及び第３吹出口（13c）からの吹出空気の流速よりも相対的に速くなる。
【００５６】
図４に示すシミュレーションでは、第４吹出口（13d）からの吹出空気は、流量が残りの吹出口（13a,13b,13c）からの吹出空気の流量より多く、流速が残りの吹出口（13a,13b,13c）からの流速よりも相対的に速い。この場合、気流（F）は、パネル（3）の中央部の前方から第４吹出口（13d）の反対側（図４中左側）寄りに向かって流れる。
【００５７】
制御器（7）は、各縁部（5a,5b,5c,5d）に配置されたフラップ（16）の傾斜角度を調節することで、各吹出口（13a,13b,13c,13d）から吹き出される空気の向きを調節する。制御器（7）は、各吹出口（13a,13b,13c,13d）から吹き出される空気の向きを調節することによって、それぞれの吹出空気が衝突することによって生じる気流の方向を変えることができる。
【００５８】
例えば、気流を下向きにしたいとき、制御器（7）は、第２吹出口（13b）から前方寄りに空気が吹き出るように、第２縁部（5b）のフラップの傾斜角度を調節する。
【００５９】
また、例えば、気流を右向きにしたいとき、制御器（7）は、第３吹出口（13c）から前方寄りに空気が吹き出るように、第３縁部（5c）のフラップの傾斜角度を調節する。
【００６０】
また、例えば、気流を左斜め上向きにしたいとき、制御器（7）は、第１吹出口（13a）及び第４吹出口（13d）から前方寄りに空気が吹き出るように、第１縁部（5a）及び第４縁部（5d）のフラップの傾斜角度を調節する。
【００６１】
制御器（7）は、各ファン（11a,11b,11c,11d）の回転速度の調節と各フラップ（16）の傾斜角度の調節とを組み合わせて、それぞれの吹出空気が衝突することによって生じる気流の方向を変えてもよい。また、各ファン（11a,11b,11c,11d）の回転速度の調節のみでそれぞれの吹出空気が衝突することによって生じる気流の方向を変えてもよく、各フラップ（16）の傾斜角度の調節のみでそれぞれの吹出空気が衝突することによって生じる気流の方向を変えてもよい。
【００６２】
−実施形態１の効果−
本実施形態の送風装置（1）は、パネル（3）と、パネル（3）を囲うように配置され且つ空気の吹出口（13a,13b,13c,13d）が形成された枠部材（5）と、吹出口（13a,13b,13c,13d）へ空気を送るファン（11a,11b,11c,11d）とを備える送風装置（1）であって、枠部材（5）は、複数の方向から互いに衝突するように空気を吹き出すことによって、パネル（3）の前方へ向かう気流を生じさせ、気流の方向が変わるように、吹出口（13a,13b,13c,13d）から吹き出される空気の流量を調節する制御器（7）を備える。
【００６３】
本実施形態によれば、吹出空気が衝突して発生する気流の方向を調節することができる。したがって、パネル（3）の表示に合わせて気流の方向を変更することができる。例えば、パネル（3）が外の風景を表示する場合には、送風装置（1）は、様々な方向に送風することで、自然の風に近い送風を行うことができる。また、パネル（3）が動画を表示する場合には、送風装置（1）は、動画に合わせて送風の向きを変えて、臨場感を与えることができる。
【００６４】
また、本実施形態の送風装置（1）は、制御器（7）は、吹出口（13a,13b,13c,13d）から吹き出される空気の流量の合計が一定に保たれるように、それぞれの方向から吹き出される空気の流量を調節可能である。
【００６５】
本実施形態によれば、パネル（3）の前方に向かう空気の流量を変化させずに、気流の方向を調節することができる。このため、再現できる風の種類を増やすことができる。したがって、パネル（3）の表示に合った送風を行うことができる。
【００６６】
また、本実施形態の送風装置（1）は、吹出口（13a,13b,13c,13d）は、複数の方向にそれぞれ配置され、ファン（11a,11b,11c,11d）は、各吹出口（13a,13b,13c,13d）に対応するように１つずつ配置され、制御器（7）は、各ファン（11a,11b,11c,11d）の回転速度を調節する。
【００６７】
本実施形態によれば、ファン（11a,11b,11c,11d）の回転数を調節することで、気流の方向を調節することができる。このため、気流の方向を調節するための部品の点数を抑えることができる。したがって、送風装置（1）をコンパクトにすることができる。
【００６８】
−実施形態１の変形例１−
本変形例では、図５に示すように、パネル（3）は円形に形成されている。
【００６９】
枠部材（5）は、パネル（3）を囲うように配置される。すなわち、枠部材（5）は、パネル（3）に対応した円形に構成される。枠部材（5）は、内周面に、６つの空気の吹出口（13a,13b,13c,13d,13e,13f）を備えている。各吹出口（13a,13b,13c,13d,13e,13f）は、枠部材（5）内において、パネル（3）の外周に沿うように略等間隔に形成されている。各吹出口（13a,13b,13c,13d,13e,13f）にはファン（11a,11b,11c,11d,11e,11f）が１つずつ配置される。すなわち、ファン（11a,11b,11c,11d,11e,11f）は６つ配置されている。
【００７０】
本変形例によれば、吹出口（13a,13b,13c,13d,13e,13f）は、湾曲状に形成される。このため、１つの吹出口（13a,13b,13c,13d,13e,13f）によって多数の方向から空気を吹き出すことができる。
【００７１】
−実施形態１の変形例２−
本変形例では、図６に示すように、パネル（3）は三角形に形成されている。
【００７２】
枠部材（5）は、パネル（3）を囲うように配置される。すなわち、枠部材（5）は、パネル（3）に対応した三角形に構成される。枠部材（5）は、第１縁部（5a）、第２縁部（5b）、及び第３縁部（5c）を備えている。各縁部（5a,5b,5c）は、内部にファン（11a,11b,11c）を備えている。また、各縁部（5a,5b,5c）は、内周面に吹出口（13a,13b,13c）を備えている。
【００７３】
−実施形態１の変形例３−
本変形例では、図７に示すように、パネル（3）は六角形に形成される。
【００７４】
枠部材（5）は、パネル（3）を囲うように配置される。すなわち、枠部材（5）は、パネル（3）に対応した六角形に構成される。枠部材（5）は、第１縁部（5a）、第２縁部（5b）、第３縁部（5c）、第４縁部（5d）、第５縁部（5e）及び第６縁部（5f）を備える。各縁部（5a,5b,5c,5d,5e,5f）は、内部にファン（11a,11b,11c,11d,11e,11f）を備える。また、各縁部（5a,5b,5c,5d,5e,5f）は、内周面に吹出口（13a,13b,13c,13d,13e,13f）を備える。
【００７５】
《実施形態２》
実施形態２について説明する。ここでは、本実施形態の送風装置（1）について、図８及び図９を参照しながら実施形態１の送風装置（1）と異なる点を説明する。
【００７６】
−枠部材−
枠部材（5）は、第１縁部（5a）、第２縁部（5b）、第３縁部（5c）、第４縁部（5d）、ベース部（36）、台座部（37）、ファン（30）、温度調節器（17）及び制御器（7）を備える。
【００７７】
ベース部（36）は、枠部材（5）のうちパネル（3）の後方（図９中右側）部を構成する。ベース部（36）は、中空に形成される。ベース部（36）の内部は、仕切板（38）により前後に仕切られる。仕切板（38）の中央には孔（38a）が形成される。孔（38a）の後方には、温度調節器（17）が配置される。孔（38a）の前方には、ファン（30）が配置される。ベース部（36）の外側面における仕切板（38）の後方には、吸込口（15a,15b,15c,15d）が形成される。
【００７８】
台座部（37）は、ベース部（36）の前端に設けられる。台座部（37）は、パネル（3）の背面を覆うように配置された平板状の部材である。台座部（37）は、送風装置（1）の前方に面する。台座部（37）には、パネル（3）が取り付けられる。
【００７９】
ファン（30）は、本実施形態では、例えばターボファンである。ファン（30）は、回転軸方向から吸い込んだ空気を周方向へ吹き出す。ファン（30）は、孔（38a）の前方に１つ配置される。ファン（30）は、各吸込口（15a,15b,15c,15d）から取り入れた空気を各吹出口（13a,13b,13c,13d）に送る。
【００８０】
温度調節器（17）は、ファン（30）の後方に１つ配置される。各吸込口（15a,15b,15c,15d）は、温度調節器（17）の周囲に形成される。
【００８１】
第１縁部（5a）は、ベース部（36）の下端から前方に向かって延びる。第１縁部（5a）は、パネル（3）の下側の長辺に沿って設けられる。第１縁部（5a）は、パネル（3）の長辺の全長に亘って設けられる。第１縁部（5a）の前端部（39a）は上方に向かって延びるように形成される。第１縁部（5a）は、第１吹出口（13a）、第１通風路（35a）、及び第１ダンパ（32a）を備える。
【００８２】
第１吹出口（13a）は、第１縁部（5a）の上面における前端部（39a）と台座部（37）との間に、左右方向に沿って複数形成される。第１吹出口（13a）は、ファン（30）から送られた空気を上方に吹き出す。
【００８３】
第１通風路（35a）は、第１縁部（5a）の内部空間によって構成される。第１通風路（35a）における第１吹出口（13a）の後側には、第１ダンパ（32a）が配置される。第１ダンパ（32a）は、開度可変の流量調節用のダンパである。第１通風路（35a）は、ファン（30）から送られた空気を第１吹出口（13a）へ導く。
【００８４】
第２縁部（5b）は、ベース部（36）の上端から前方に向かって延びる。第２縁部（5b）は、パネル（3）の上側の長辺に沿って設けられる。第２縁部（5b）は、パネル（3）の長辺の全長に亘って設けられる。第２縁部（5b）の前端部（39b）は下方に向かって延びるように形成される。第２縁部（5b）は、第２吹出口（13b）、第２通風路（35b）、及び第２ダンパ（32b）を備える。
【００８５】
第２吹出口（13b）は、第２縁部（5b）の下面における前端部（39b）と台座部（37）との間に、左右方向に沿って複数形成される。第２吹出口（13b）は、ファン（30）から送られた空気を下方に吹き出す。
【００８６】
第２通風路（35b）は、第２縁部（5b）の内部空間によって構成される。第２通風路（35b）における第２吹出口（13b）の後側には、第２ダンパ（32b）が配置される。第２ダンパ（32b）は、開度可変の流量調節用のダンパである。第２通風路（35b）は、ファン（30）から送られた空気を第２吹出口（13b）へ導く。
【００８７】
第３縁部（5c）及び第４縁部（5d）の内部構造については、図示は省略するが、第１縁部（5a）及び第２縁部（5b）の内部構造と同様である。
【００８８】
第３縁部（5c）は、ベース部（36）の左端から前方に向かって延びる。第３縁部（5c）は、パネル（3）の左側の短辺に沿って設けられる。第３縁部（5c）は、パネル（3）の短辺の全長に亘って設けられる。第３縁部（5c）の前端部は右方に向かって延びるように形成される。第３縁部（5c）は、第３吹出口（13c）、第３通風路、及び第３ダンパを備える。
【００８９】
第３吹出口（13c）は、第３縁部（5c）の右面における前端部と台座部（37）との間に、上下方向に沿って複数形成される。第３吹出口（13c）は、ファン（30）から送られた空気を右方に吹き出す。
【００９０】
第３通風路は、第３縁部（5c）の内部空間によって構成される。第３通風路における第３吹出口（13c）の後側には、第３ダンパが配置される。第３ダンパは、開度可変の流量調節用のダンパである。第３通風路は、ファン（30）から送られた空気を第３吹出口（13c）へ導く。
【００９１】
第４縁部（5d）は、ベース部（36）の右端から前方に向かって延びる。第４縁部（5d）は、パネル（3）の右側の短辺に沿って設けられる。第４縁部（5d）は、パネル（3）の短辺の全長に亘って設けられる。第４縁部（5d）の前端部は左方に向かって延びるように形成される。第４縁部（5d）は、第４吹出口（13d）、第４通風路、及び第４ダンパを備える。
【００９２】
第４吹出口（13d）は、第４縁部（5d）の左面における前端部と台座部（37）との間に、上下方向に沿って複数形成される。第４吹出口（13d）は、ファン（30）から送られた空気を左方に吹き出す。
【００９３】
第４通風路は、第４縁部（5d）の内部空間によって構成される。第４通風路における第４吹出口（13d）の後側には、第４ダンパが配置される。第４ダンパは、開度可変の流量調節用のダンパである。第４通風路は、ファン（30）から送られた空気を第４吹出口（13d）へ導く。
【００９４】
このように、通風路（35a,35b）は、各吹出口（13a,13b,13c,13d）に対応するように複数配置される。ファン（30）の吹出空気は、各通風路（35a,35b）を通って複数の吹出口（13a,13b,13c,13d）に分配される。
【００９５】
−制御器−
制御器（7）は、各ダンパの開度を調節して各吹出口（13a,13b,13c,13d）から吹き出される空気の流量及び流速を調節する。
【００９６】
−実施形態２の効果−
本実施形態の送風装置（1）は、吹出口（13a,13b,13c,13d）は、複数の方向にそれぞれ配置され、枠部材（5）は、各吹出口（13a,13b,13c,13d）に対応するように複数配置され且つファン（30）から各吹出口（13a,13b,13c,13d）に送られる空気が通る通風路（35a,35b）を備え、通風路（35a,35b）には、開度可変の流量調節用のダンパ（32a,32b）が配置され、制御器（7）は、ダンパ（32a,32b）の開度を調節して吹出口（13a,13b,13c,13d）から吹き出される空気の流量及び流速を調節する。
【００９７】
本実施形態によれば、ファン（30）を吹出口（13a,13b,13c,13d）から離れた位置に配置する場合でも、各吹出口（13a,13b,13c,13d）から吹き出される空気の流量及び流速を調節することができる。
【００９８】
−実施形態２の変形例１−
本変形例では、図１０に示すように、パネル（3）は円形に形成されている。
【００９９】
枠部材（5）は、パネル（3）を囲うように配置される。すなわち、枠部材（5）は、パネル（3）に対応した円形に構成される。枠部材（5）は、内周面の全周に、複数の空気の吹出口（13g）を断続的に備えている。
【０１００】
−実施形態２の変形例２−
本変形例では、図１１に示すように、枠部材（5）の前端部（39a,39b）は、パネル（3）の中央側に向かってパネル（3）の斜め前方へ向けて延びるように形成されている。各吹出口（13a,13b,13c,13d）は、枠部材（5）の前端に形成されている。このため、枠部材（5）は、パネル（3）の中央側に向かってパネル（3）の斜め前方へ向けて空気を吹き出すことで、パネル（3）の中央部の前方で空気を衝突させる。
【０１０１】
《その他の実施形態》
上記の各実施形態の送風装置（1）において、例えば、吹出口を２つ設けて、２方向から互いに衝突するように空気を吹き出すようにしてもよい。
【０１０２】
上記の各実施形態の送風装置（1）において、制御器（7）は、各吹出口（13a,13b,13c,13d,13e,13f,13g）から吹き出される空気の流量の合計が一定に保たれないように、各吹出口（13a,13b,13c,13d,13e,13f,13g）からの吹出空気の流量を調節してもよい。例えば、１つ又は複数の吹出口から吹き出される空気の流量を増やし、残りの吹出口から吹き出される空気の流量を変更しなくてもよい。また、例えば、１つ又は複数の吹出口から吹き出される空気の流量を減らし、残りの吹出口から吹き出される空気の流量を変更しなくてもよい。
【０１０３】
上記の各実施形態の送風装置（1）において、制御器（7）が吹出空気の流量、流速及び向きのうち１つを調節することにより、吹出空気が衝突することによって生じる気流の方向を変えてもよい。すなわち、吹出口（13a,13b,13c,13d,13e,13f,13g）から吹き出される空気の流速、流量、向きのうち少なくとも１つを調節するものであればよい。
【０１０４】
上記の各実施形態の送風装置（1）において、温度調節器（17）として、室外ユニットに接続される熱交換器を挙げたが、これに限定されない、温度調節器（17）として、ヒータやペルチェ素子等を用いてもよい。
【０１０５】
また、上記の各実施形態の送風装置（1）においてファン（11a,11b,11c,11d,11e,11f,30）として、プロペラファンやシロッコファン、斜流ファンなどを用いてもよい。
【０１０６】
また、上記の各実施形態の送風装置（1）において、内部に加湿器やアロマディフューザを配置してもよい。
【０１０７】
また、上記の各実施形態の送風装置（1）において、一部が室内に壁に埋め込まれるようにしてもよい。
【０１０８】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１０９】
以上説明したように、本開示は、送風装置について有用である。
【符号の説明】
【０１１０】
1    送風装置
3    パネル
5    枠部材
7    制御器
11a,11b,11c,11d,11e,11f  ファン
13a    第１吹出口（吹出口）
13b    第２吹出口（吹出口）
13c    第３吹出口（吹出口）
13d    第４吹出口（吹出口）
13e,13f,13g  吹出口
14    通風路
30    ファン
32a    第１ダンパ（ダンパ）
32b    第２ダンパ（ダンパ）
35a    第１通風路（通風路）
35b    第２通風路（通風路）
【図１】
2019210660.tif 000003
【図２】
2019210660.tif 000004
【図３】
2019210660.tif 000005
【図４】
2019210660.tif 000006
【図５】
2019210660.tif 000007
【図６】
2019210660.tif 000008
【図７】
2019210660.tif 000009
【図８】
2019210660.tif 000010
【図９】
2019210660.tif 000011
【図１０】
2019210660.tif 000012
【図１１】
2019210660.tif 000013